(57)【要約】      （修正有）【課題】殺虫剤や消臭剤などのスプレー缶の表面をラッピングして、部屋の雰囲気などを損なうことなく、いつでも手の届く場所にスプレー缶を置けるようにしたラッピングシートを提供する。【解決手段】水平断面が円形又は多角形をなす筒状の収容器の外周面に貼り付けられるシート部材と、シート部材の表面側に形成された装飾面２ａと、シート部材の裏面側に形成され付着及び剥離可能な貼着面２ｂと、貼着面に剥脱可能に貼り付けられる台紙とから構成される。シート部材は、少なくとも貼着面は自己粘着性合成樹脂シートで形成され、装飾面は自己粘着性合成樹脂シートの表面に印刷を施して形成されている。【選択図】図４
0003232975.tif 000002
【実用新案登録請求の範囲】
【請求項１】
水平断面が円形又は多角形をなす筒状の収容器の外周面に貼り付けられるシート部材と、
前記シート部材の表面側に形成された装飾面と、
前記シート部材の裏面側に形成され、付着及び剥離可能な貼着面と、
前記貼着面に剥脱可能に貼り付けられる保護部材と
から構成されることを特徴とするラッピングシート。
【請求項２】
少なくとも前記貼着面は自己粘着性合成樹脂シートで形成され、
前記装飾面は自己粘着性合成樹脂シートの表面に印刷を施して形成され
ていることを特徴とする請求項１に記載のラッピングシート。
【請求項３】
前記自己粘着性合成樹脂シートが自己粘着性塩化ビニル系樹脂シートであることを特徴とする請求項２に記載のラッピングシート。
【請求項４】
前記自己粘着性合成樹脂シートが自己粘着性オレフィン系樹脂シートであることを特徴とする請求項２に記載のラッピングシート。
【請求項５】
前記シート部材は、前記収容器の側面の展開図形と合致する形状を有する貼付部分が切り出し可能となっていることを特徴とする請求項１乃至４のいずれかに記載のラッピングシート。
【請求項６】
前記シート部材は、前記貼付部分の周縁位置に形成されたミシン目を有することを特徴とする請求項５に記載のラッピングシート。
【請求項７】
前記シート部材には前記ミシン目が複数本形成され、複数種の展開図形が切り出し可能となっていることを特徴とする請求項６に記載のラッピングシート。
【考案の詳細な説明】
【技術分野】
【０００１】
本考案は、殺虫剤や消臭剤のスプレー缶など、水平断面が円形又は多角形をなす筒状の収容器の外周面を装飾するためのラッピングシートに関する。
【背景技術】
【０００２】
従来、家庭内だけでなく飲食店の店舗や公共施設などで、殺虫や消臭のための各種スプレー缶が利用され、その機能についても種々開発されているている（例えば、特許文献１参照）。通常、このような各種スプレー缶はキッチンやトイレの他、寝室やクローゼット、倉庫などで用途に応じて使用されるとともに、使用頻度の高い場所では、いつでも使用できるように常備されていることが多い。
【先行技術文献】
【特許文献】
【０００３】
【特許文献１】特開２００９−７８８１４号公報
【考案の概要】
【考案が解決しようとする課題】
【０００４】
しかしながら、一般的なスプレー缶は、いずれも商品名や使用用途の表記が目立ちすぎることから、人目につきやすく部屋の雰囲気を損なう惧れがあり、特に飲食店等の店舗などでは、そのスプレー缶の種別によって店のイメージに大きく影響を与えかねない。そのため、通常、スプレー缶は目につかない部屋の隅や、流しの下、戸棚の中などに隠すように置かれている。このため、いざスプレー缶を使いたいときには、見つけられなかったり、すぐに手が届かず不便な事態も起こり得る。
【０００５】
そこで、本考案は、上記のような問題を解決するものであり、スプレー缶の表面をラッピングすることにより、部屋の雰囲気などを損なうことなく、いつでも手の届く場所にスプレー缶を置けるようにし、必要な場面で迅速に使用できるようにしてスプレー缶本来の機能性を高めることのできるシステムを提供することを目的とする。
【課題を解決するための手段】
【０００６】
上記課題を解決するために、本考案は、水平断面が円形又は多角形をなす筒状の収容器の外周面に貼り付けられるシート部材と、シート部材の表面側に形成された装飾面と、シート部材の裏面側に形成され、付着及び剥離可能な貼着面と、貼着面に剥脱可能に貼り付けられる保護部材とから構成されることを特徴とする。
【０００７】
上記考案において、少なくとも前記貼着面は自己粘着性合成樹脂シートで形成され、前記装飾面は自己粘着性合成樹脂シートの表面に印刷を施して形成されていることが好ましい。この自己粘着性合成樹脂シートは、自己粘着性塩化ビニル系樹脂シート、又は自己粘着性オレフィン系樹脂シートであることが好ましい。
【０００８】
上記考案において、シート部材は、収容器の側面の展開図形と合致する形状を有する貼付部分が切り出し可能となっていることが好ましい。また、上記考案において、シート部材は、貼付部分の周縁位置に形成されたミシン目を有することが好ましい。さらに、上記考案において、シート部材にはミシン目は複数本形成され、複数種の展開図形が切り出し可能となっていることが好ましい。
【考案の効果】
【０００９】
以上述べたように、これらの考案によれば、殺虫剤や消臭剤などのスプレー缶の表面を、綺麗にデザインされた装飾面を有するシート部材でラッピングすることにより、部屋の雰囲気などを損なうことなく、いつでも手の届く場所にスプレー缶を置けるようにし、必要な場面で迅速に使用できるようにしてスプレー缶本来の機能性を高めることができる。
【図面の簡単な説明】
【００１０】
【図１】実施形態に係るラッピングシートの外観を示す上面図である。
【図２】実施形態に係るラッピングシートの内部構造を示す側断面である。
【図３】実施形態に係るラッピングシートの保護部材を剥がす場面を示す説明図である。
【図４】実施形態に係るラッピングシートの使用状態を示す斜視図である。
【図５】実施形態に係るラッピングシートの使用状態を示す斜視図である。
【図６】実施形態に係るラッピングシートの使用状態を示す斜視図である。
【図７】変更例に係るラッピングシートの外観を示す上面図である。
【図８】変更例に係るラッピングシートの外観を示す上面図である。
【考案を実施するための形態】
【００１１】
（ラッピングシートの全体構成）
以下に添付図面を参照して、本考案に係るラッピングシートの実施形態を詳細に説明する。図１に本実施形態に係るラッピングシート１の外観を示し、図２にラッピングシート１の内部構造を示す。なお、以下に示す実施の形態は、この考案の技術的思想を具体化するための装置等を例示するものであって、この考案の技術的思想は、各構成部品の材質、形状、構造、配置等を下記のものに特定するものでない。この考案の技術的思想は、実用新案登録請求の範囲において、種々の変更を加えることができる。
【００１２】
図１に示すように、ラッピングシート１は、殺虫剤や消臭剤などのスプレー缶５のように、水平断面が円形又は多角形をなす筒状の収容器の外周面を覆って装飾するものであり、具体的にはスプレー缶５の外周面に貼り付けられるシート部材２と、シート部材２の貼着面２ｂに剥脱可能に貼り付けられる保護部材としての台紙３とから概略構成される。
【００１３】
台紙３は、貼着面２ｂに剥脱可能に貼り付けられる保護部材であり、紙やフィルムなどで形成され、台紙３の貼付面側には滑剤等が塗布されている。なお、台紙３の裏面には、例えば５ｍｍマスのグリッドやメモリ、その他のガイド用図形を印刷することができ、これらに沿ってユーザーが自在にカットするようにしてもよい。またこのようなガイド用図形は本考案が商品化された際のパッケージに印刷してもよい。
【００１４】
シート部材２は、基材となるシート状の部材であり、本実施形態では自己粘着性合成樹脂で形成されている。特に、シート部材２は、その表面側に形成された装飾面２ａと、シート部材２の裏面側に形成され且つ付着及び剥離可能な貼着面２ｂとから形成される。また、シート部材２は、自己粘着性合成樹脂シートで形成され、その一方の面（上面）が装飾面２ａとなっており、その他方の面（下面）が貼着面２ｂとなっている。具体的に、本実施形態において、貼着面２ｂは、シート部材２の基材である自己粘着性合成樹脂シートの下面がそのままとなっており、ガラス、金属、タイル、コート紙の平滑面に貼ることができ、樹脂の性質である自己粘着のため、剥がした後の糊残り、汚れが残らず、粘着力が落ちてきた場合には、表面を水等で洗浄することにより、粘着力を回復させることができる。
【００１５】
また、このシート部材２の他方の装飾面２ａは自己粘着性合成樹脂シートの表面に印刷を施して形成されている。詳述すると、図２に示すように、シート部材２の装飾面２ａは、シート部材２の表面に第一印刷層２１を施し、第一印刷層２１上に不透明印刷層２３を設け、さらに不透明印刷層２３上に第二印刷層２２を施して形成されている。ここで、自己粘着性透明合成樹脂シートとしては、塩化ビニル系樹脂、オレフィン系樹脂等からなる自己粘着性透明合成樹脂シート（以下「自己粘着性シート」と記すことがある）等、自己粘着性を有し、かつ透明性に優れるものであれば特に限定はされない。
【００１６】
上記の自己粘着性シートに使用する塩化ビニル系樹脂としては、塩化ビニルの単独重合体や塩化ビニルと他のモノマーとの共重合体、塩化ビニル樹脂と他の樹脂とのブレンド物も使用できる。塩化ビニル樹脂と共重合させるモノマーとしては、酢酸ビニル、エチレン、プロピレン、マレイン酸エステル、メタクリル酸メチル、メタクリル酸エステル、アクリル酸エステル、高級ビニルエーテル等が挙げられる。塩化ビニル樹脂にブレンドする他の樹脂としては、エチレン−酢酸ビニル共重合樹脂、アクリロニトリル−ブタジエン−スチレン共重合樹脂、アクリロニトリル−ブタジエン共重合樹脂、ポリウレタン樹脂、塩素化ポリウレタン樹脂、ポリメタクリレート樹脂等が挙げられる。
【００１７】
また、自己粘着シートに使用するオレフィン系樹脂としては、ポリエチレン樹脂、ポリプロピレン樹脂、ポリブタジエン樹脂、エチレン−プロピレン共重合樹脂、エチレン−１−ブテン共重合樹脂、エチレン−酢酸ビニル共重合樹脂、エチレン−メチルアクリレート共重合樹脂、エチレン−メチルメタクリレート共重合樹脂等が挙げられる。上記の合成樹脂は、単独または２種以上の樹脂を混合して使用することもできる。
【００１８】
上記の樹脂は必要に応じて可塑剤、安定剤、粘着性付与剤、着色剤等の各種添加剤を配合し、カレンダー法や押出法等によってシート化される。添加剤の種類、添加量については、合成樹脂シートが自己粘着性を示すに必要な種類の添加剤を必要量添加すればよく、使用される樹脂の種類や求められる自己粘着性能等によって適宜選択することができる。
【００１９】
使用できる可塑剤として具体的には、ジ−２−エチルヘキシルフタレート（ＤＯＰ）、ジイソノニルフタレート（ＤＩＮＰ）、ブチルベンジルフタレート（ＢＢＰ）等のフタル酸エステル系可塑剤、トリクレジルホスフェート（ＴＣＰ）等のリン酸エステル系可塑剤、ジ−２−エチルヘキシルアジペート（ＤＯＡ）等のアジピン酸エステル系可塑剤、ジ−２−エチルヘキシルセバレート（ＤＯＳ）等のセバチン酸エステル系可塑剤、ジ−２−エチルヘキシル（ＤＯＺ）等のアゼライン酸エステル系可塑剤、ポリプロピレンアジペート（ＰＰＡ）等のポリエステル系可塑剤、エポキシ大豆油等のエポキシ系可塑剤、塩化パラフィン等の塩素化脂肪酸エステル系可塑剤等が使用でき、特に限定はされない。上記可塑剤は単独または２種以上混合して使用することもできる。
【００２０】
安定剤としては、ステアリン酸亜鉛等の金属石鹸、エポキシ化大豆油等のエポキシ化合物、ジフェニルデシルホスファイト等の有機ホスファイト系安定剤、ジブチル錫ジラウレート等の錫系安定剤等が使用できる。これらの安定剤は単独でまたは２種以上を併用することもできる。
【００２１】
また、上述したシート部材２には、必要に応じて粘着付与剤を添加することもできる。この粘着付与剤として具体的には、グリセリンエステルロジン、ペンタエリスリットエステルロジン等のロジンおよび変性ロジンの誘導体、テルペンフェノール等のテルペン変性体、アルキルフェノールおよび変性フェノール等のフェノール樹脂等が挙げられる。上記の粘着付与剤は単独または２種以上を併用して使用することができる。
【００２２】
さらに、シート部材２の装飾面２ａは、顔料や染料等の着色剤を添加し、着色透明層とすることもできる。このとき使用する着色剤の種類や添加量は、使用する合成樹脂の種類等によって適宜選択することができる。また、この装飾面２ａへの印刷では、香りインクを用いて香り仕様にしてもよく、インクの臭いの種類と、装飾面２ａの模様や柄との相関を持たせるようにしてもよい。例えば、木目模様に檜の香りで印刷したり、いちご模様にいちごの香りで印刷するようにしてもよい。また、この装飾面２ａの印刷では、蓄光塗料を用いて蓄光仕様にすることもでき、この場合には、就寝中の暗所に蚊等の害虫が侵入してきたときに、ラッピングシートがが光るので、速やかに殺虫剤を見つけて使用することができる。また、この装飾面２ａの印刷では、デオドラントインクを用いて消臭仕様として、例えばトイレの消臭缶に消臭仕様シートを巻いたりしてもよく、さらには、ＵＶ印刷によって手触りに変化をつけるようにしてもよい。
【００２３】
シート部材２への印刷は、油性インク、水性インク、アルコール性インク、溶剤系インク等が使用でき、自己粘着性シートに使用される樹脂の種類等によって適宜選択される。印刷方法も通常使用されている印刷方法が使用でき、オフセット印刷法、スクリーン印刷法、グラビア印刷法、フレキソ印刷法等が採用される。
【００２４】
シート部材２上に第一印刷層２１が形成された後には、第一印刷層２１の上に不透明なインクを用いてシート部材２全面にベタ塗り印刷を施してなる不透明印刷層２３が形成される。ベタ塗り印刷を施すインクとしては、第一印刷層２１を形成したのと同じ種類のインクを用いてもよいし、異なった種類のインクを用いてもよい。また、ベタ塗り印刷は１色のみであってもよいし、２種以上の色を使用して地模様を形成するようにしてもよい。
【００２５】
不透明印刷層２３上には第二印刷層２２が施される。この場合に使用するインクの種類や印刷法については、第一印刷層２１と同じであっても異なっていてもよい。また、本実施形態に係るシート部材２は、必要に応じて透明な表面保護層を形成してもよい。
【００２６】
さらに、本実施形態においてシート部材２は、スプレー缶５の側面の展開図形と合致する形状を有する貼付部分４が切り出し可能となっている。シート部材２は、貼付部分４の周縁位置に形成された垂直ミシン目４１を有している。このミシン目は複数本形成され、複数種の展開図形が切り出し可能となっている。
【００２７】
なお、上記シート部材２のバリエーションとしては、例えば、図７に示すように、装飾面２ａは木目調としたり、レース柄や花柄、キャラクター等をプリントしてもよい。また、この装飾面のプリントはそのスプレー缶の種類などをわかりやすく図形化したイラストなどを付してもよい。さらに、装飾面２ａには点字などを印字して、目の不自由な者が迷わずに利用できるようにしてもよい。また、図８に示すように、縦方向の垂直ミシン目４１に加えて、水平方向の水平ミシン目４２を形成して、様々な高さのスプレー缶に対応できるようにしてもよい。
【００２８】
（ラッピングシートの使用方法）
以上説明した構成を有するラッピングシートは、以下のように使用される。図３〜図６にラッピングシート１の使用状態を示す。図３に示すように、シート部材２を台紙３から剥がし、図４に示すように、剥がしたシート部材２の貼着面２ｂ側が接触するようにスプレー缶５の側面に巻き付ける。次いで、図５に示すように、スプレー缶５の側面の長さ（底面の円周）に合わせて複数ある垂直ミシン目４１を選択し、ミシン面に沿って切り取る。その後、図６に示すように、シート部材２は何度も剥離させることができ、適宜剥がしてスプレー缶５側面のパッケージを目視することができ、スプレー缶５の種類や説明書き、注意書き等を確認することができる。なお、使用後はインテリアとして壁面や家具などに貼るようにしてもよい。
【００２９】
（作用・効果）
以上説明した実施形態によれば、スプレー缶５の表面を綺麗にデザインされた装飾面２ａを有するシート部材２でラッピングすることによって、優れた隠蔽性を発揮して既存のパッケージデザインを隠すことができることから、部屋の雰囲気などを損なうことなく、いつでも手の届く場所にスプレー缶５を置けるようにできる。これにより、必要な場面で迅速に使用できるようになり、スプレー缶５本来の機能性を高めることができる。
【００３０】
また、本実施形態に係るシート部材２は、粘着剤や接着剤層を形成することなく、シート部材２の基材である自己粘着性合成樹脂シートの下面がそのまま貼着面２ｂとなっているため、その上面に形成された装飾面２ａに施された印刷が両面とも明瞭なものとなる。また、基材が自己粘着性合成樹脂シートで形成されているため、塵や埃が付着したとしても、水洗いすることによって塵や埃を容易に落とすことができるとともに、粘着力が回復して初期の粘着力と同等の粘着力が得られる。また、シート部材２を剥がしたあとでも、粘着剤等がガラス板等の化粧シート被貼着面に残ることがない。
【００３１】
なお、上述した実施形態の説明は、本考案の一例である。このため、本考案は上述した実施形態に限定されることなく、本考案に係る技術的思想を逸脱しない範囲であれば、設計等に応じて種々の変更が可能である。
【符号の説明】
【００３２】
１…ラッピングシート
２…シート部材
２ａ…装飾面
２ｂ…貼着面
３…台紙
４…貼付部分
５…スプレー缶
２１…第一印刷層
２２…第二印刷層
２３…不透明印刷層
４１…垂直ミシン目
４２…水平ミシン目
【図１】
0003232975.tif 000003
【図２】
0003232975.tif 000004
【図３】
0003232975.tif 000005
【図４】
0003232975.tif 000006
【図５】
0003232975.tif 000007
【図６】
0003232975.tif 000008
【図７】
0003232975.tif 000009
【図８】
0003232975.tif 000010